【手続補正書】
【提出日】平成27年2月6日(2015.2.6)
【手続補正１】
【補正対象書類名】特許請求の範囲
【補正対象項目名】全文
【補正方法】変更
【補正の内容】
【特許請求の範囲】
【請求項１】
光情報記録媒体に信号光と参照光を照射してホログラムを形成することでデータを記録し、光情報記録媒体からデータを再生する光情報記録再生装置において、
参照光を出射する参照光光学部と、
ホストコンピュータから送られたデータを一時的に格納する記憶部と、
記録の前工程として前記光情報記録媒体にプリキュアを行い、記録の後工程としてポストキュアを行うキュア部と、
前記プリキュアを行った領域に前記記憶部に格納したデータを順次記録する記録部と、
記録したデータの記録品質を確認するベリファイ部と、
ベリファイエラー検出時にベリファイエラーとなったデータの再転送をホストコンピュータに要求するデータリクエスト部と、
再転送されたデータからリトライデータを作成する制御部と、を備え、
前記キュア部または前記参照光光学部によりプリキュアを行い、前記記録部により当該箇所にデータを記録し、前記キュア部または前記参照光光学部によりポストキュアを行い、
前記ベリファイ部によりベリファイエラーを検出した際に、前記データリクエスト部によりデータの再転送をホストコンピュータに要求し、再転送されたデータを前記制御部により次にスケジューリングされている記録量単位の中に割り込ませて前記記憶部に格納し、前記記録部により前記光情報記録媒体に記録することを特徴とする光情報記録再生装置。
【請求項２】
請求項１に記載の光情報記録再生装置において、
光情報記録媒体にプリキュアとデータ記録を所定の単位で所定の回数行った後に、
データ記録した個所に対して所定の単位で所定の回数ポストキュアを行い、所定の単位で所定の回数ベリファイを行い、
ベリファイエラーを検出した際に、ベリファイエラーとなったデータをホストコンピュータに要求し、受け取ったデータを次にスケジューリングされている記録量単位の中に割り込ませて記憶部に順次格納し、
次にプリキュアとデータ記録を所定の単位で所定の回数行う際に、
前記記憶部に格納したデータを前記光情報記録媒体に記録することを特徴とする光情報記録再生装置。
【請求項３】
請求項２に記載の光情報記録再生装置において、
所定の単位とは、１回のプリキュアおよびポストキュアを実施する時に照射される光レーザーの範囲であることを特徴とする光情報記録再生装置。
【請求項４】
請求項２に記載の光情報記録再生装置において、
所定の回数とは、所定の単位での最初の記録箇所の暗反応が終了するまで、所定の単位のプリキュアとデータ記録を繰り返す場合における、この繰り返し回数であることを特徴とする光情報記録再生装置。
【請求項５】
光情報記録媒体からデータを再生する光情報記録再生方法において、
記録の前工程として前記光情報記録媒体にプリキュアを実施するステップと、
前記プリキュアを行った領域にデータを順次記録するステップと、
記録の後工程としてポストキュアを行うステップと、
記録したデータのベリファイエラーを検出するステップと、
ベリファイエラー検出時にベリファイエラーとなったデータの再転送をホストコンピューターに要求するステップを備え、
ベリファイエラーとなったデータを次にスケジューリングされている記録量単位の中に割り込ませて前記光情報記録媒体に記録することを特徴とする光情報記録再生方法。
【請求項６】
光情報記録媒体に信号光と参照光を照射してホログラムを形成することでデータを記録し、光情報記録媒体からデータを再生する光情報記録再生装置において、
参照光を出射する参照光光学部と、
前記光情報記録媒体に記録するデータを一時的に格納する記憶部と、
記録の前工程として前記光情報記録媒体にプリキュアを行い、記録の後工程としてポストキュアを行うキュア部と、
前記プリキュアを行った領域に前記記憶部に格納したデータを順次記録する記録部と、
記録したデータの記録品質を確認するベリファイ部と、
ベリファイエラー検出時にベリファイエラーとなったデータの再転送をホストコンピュータに要求するデータリクエスト部を備え、
前記記録部と前記ベリファイ部は独立しているため同時実行が可能であり、
前記キュア部または前記参照光光学部によりプリキュアを行い、前記記録部により当該箇所にデータを記録し、前記キュア部または前記参照光光学部によりポストキュアを行い、
前記ベリファイ部によりベリファイエラーを検出した際に、前記データリクエスト部によりベリファイエラーとなったデータの再転送をホストコンピュータに要求し、受け取ったデータを次にスケジューリングされている記録量単位の中に割り込ませて前記記憶部に格納し、前記記録部により前記光情報記録媒体に記録することを特徴とする光情報記録再生装置。
【請求項７】
請求項６に記載の光情報記録再生装置において、
前記キュア部または前記参照光光学部によりプリキュアを行い、前記記録部により当該箇所にデータを記録し、前記キュア部または前記参照光光学部によりポストキュアを行い、
前記ベリファイ部によりベリファイエラーを検出した際に、エラーになった元データを次にスケジューリングされている記録量単位の中に割り込ませて前記記憶部に格納し、前記記録部により前記光情報記録媒体に記録することを特徴とする光情報記録再生装置。
【請求項８】
複数の光情報記録再生装置とその制御部を備えるデータライブラリ装置において、
前記光情報記録再生装置は、
前記光情報記録媒体に信号光と参照光を照射してホログラムを形成することでデータを記録するデータを記憶する記憶部と、
参照光を出射する参照光光学部と、
記録の前工程として前記光情報記録媒体にプリキュアを実施し、記録の後工程として前記光情報記録媒体にポストキュアを行うキュア部と、
前記キュア部または前記参照光光学部により前記プリキュアを行った領域に前記制御部から送られたデータを記録する記録部と、
記録したデータを読み出して前記制御部に送る再生部と、を備え、
前記制御部は、
前記光情報記録媒体に記録するデータを記憶する記憶部と、
誤り訂正および誤り訂正符号付加を行う信号処理部を備え、
前記光情報記録媒体に記録したデータが正しいかどうかを、前記制御部の信号処理部にて確認することを特徴とするデータライブラリ装置。
【請求項９】
複数の光情報記録再生装置とその制御部を備えるデータライブラリ装置において、
前記光情報記録再生装置は、
参照光を出射する参照光光学部と、
ホストコンピュータから送られたデータを一時的に格納する記憶部と、
記録の前工程として前記光情報記録媒体にプリキュアを行い、記録の後工程としてポストキュアを行うキュア部と、
前記プリキュアを行った領域に前記記憶部に格納したデータを順次記録する記録部と、
記録したデータの記録品質を確認するベリファイ部と、
ベリファイエラー検出時にベリファイエラーとなったデータをホストコンピュータに要求するデータリクエスト部と、
前記キュア部または前記参照光光学部により前記プリキュアを行った領域に前記制御部から送られたデータを記録する記録部と、
記録したデータを読み出して前記制御部に送る再生部と、を備え、
前記制御部は、前記データリクエスト部からベリファイエラーとなったデータの再転送の要求を受けた時、ベリファイエラーとなったデータを次にスケジューリングされている記録量単位の中に割り込ませてから再転送することを特徴とするデータライブラリ装置。